(57)【要約】【課題】  個々の回路素子の性能や、全体の伝送損失を改善しなくとも、無線機器の総合性能を改善し得る無線通信装置を提供する。【解決手段】  アンテナ８を含む送信系回路ブロック１０ａのうち、アンテナ８の直前の送信用パワーアンプ４の入力端４ａと該送信用パワーアンプ４の前段のＲＦＩＣ３の出力端３ａまでの各回路ブロック間の接続距離の和である伝送線路１１の長さよりも、送信用パワーアンプ４の出力端４ｂからアンテナ８の入出力端８ａまでの各回路ブロック間の接続距離である伝送線路１２・１３・１４の和の長さの方が小さい。【選択図】  図１
2004343699.tif 000002
【特許請求の範囲】
【請求項１】
アンテナを含む送信系回路ブロックのうち、アンテナの直前の能動回路の入力端と該能動回路の前段能動回路の出力端までの各回路ブロック間の接続距離の和よりも、上記能動回路の出力端からアンテナの入力端までの各回路ブロック間の接続距離の和の方が小さいことを特徴とする無線通信装置。
【請求項２】
前記アンテナの直前の能動回路が複数の能動回路を備えた能動回路ブロックから構成されているときには、
上記能動回路ブロックの出力端からアンテナの入力端までの各回路ブロック間の接続距離の和が、上記能動回路ブロックにおける最終段の能動回路の入力端と該最終段の前段の能動回路の出力端との間の各回路ブロック間の接続距離よりも小さいことを特徴とする請求項１記載の無線通信装置。
【請求項３】
前記アンテナの直前の能動回路がパワーアンプであることを特徴とする請求項１又は２記載の無線通信装置。
【請求項４】
アンテナを含む受信系回路ブロックのうち、アンテナの直後の能動回路の出力端と該能動回路の後段の能動回路の入力端までの各回路ブロック間の接続距離の和よりも、上記アンテナの直後の能動回路の入力端からアンテナの出力端までの各回路ブロック間の接続距離の和の方が小さいことを特徴とする無線通信装置。
【請求項５】
前記アンテナの直後の能動回路が、複数の能動回路を備えた能動回路ブロックブロックから構成されているときには、
上記能動回路ブロックの入力端からアンテナの出力端までの各回路ブロック間の接続距離の和が、上記能動回路ブロックにおける第１段の能動回路の出力端と第２段の能動回路の入力端までの各回路ブロック間の接続距離の和よりも小さいことを特徴とする無線通信装置。
【請求項６】
前記アンテナの直後の能動回路が低雑音増幅器であることを特徴とする請求項４又は５記載の無線通信装置。
【請求項７】
請求項１、２又は３記載の無線通信装置と請求項４、５又は６記載の無線通信装置とを組み合わせてなることを特徴とする無線通信装置。
【請求項８】
前記アンテナの直前の能動回路以降、アンテナまでの各回路ブロックの一部又は全部が、該アンテナの直前の能動回路の前段の能動回路が形成された基板とは異なる一つの基板上に形成されていることを特徴とする請求項１、２又は３記載の無線通信装置。
【請求項９】
前記アンテナの直前の能動回路以降、アンテナまでの各回路ブロックの一部又は全部が、該アンテナの直前の能動回路の前段の能動回路が形成された回路ブロックとは異なる一つの回路ブロックとして形成されていることを特徴とする請求項１、２又は３記載の無線
【請求項１０】
前記アンテナ以降、アンテナの直後の能動回路までの各回路ブロックの一部又は全部が、該アンテナの直後の能動回路の後段の能動回路が形成された基板とは異なる一つの基板上に形成されていることを特徴とする請求項４、５又は６記載の無線通信装置。
【請求項１１】
前記アンテナ以降、アンテナの直後の能動回路までの各回路ブロックの一部又は全部が、該アンテナの直後の能動回路の後段の能動回路が形成された回路ブロックとは異なる一つの回路ブロックとして形成されていることを特徴とする請求項４、５又は６記載の無線通信装置。
【請求項１２】
請求項８又は９記載の無線通信装置と請求項１０又は１１記載の無線通信装置とを組み合わせてなることを特徴とする無線通信装置。
【請求項１３】
中間周波数回路若しくは変復調回路と無線周波入出力回路とが１パッケージ又は１チップにて設けられている回路ブロックを有することを特徴とする請求項１〜１２のいずれか１項に記載の無線通信装置。
【請求項１４】
前記アンテナは、線状アンテナであることを特徴とする請求項１〜１３のいずれか１項に記載の無線通信装置。
【請求項１５】
各回路間の接続距離の大小を、伝送線路の高周波伝送損失の大小に置換えたことを特徴とする請求項１〜１４のいずれか１項に記載の無線通信装置。
【請求項１６】
無線機能内蔵部とアンテナ設置部とが物理的に離れてなる無線機能内蔵情報処理端末装置であって、
前記請求項１〜１５のいずれか１項に記載の無線通信装置を備え、
上記アンテナの直前の能動回路を含むフロントエンド部が、上記無線機能内蔵部と分離されてアンテナ設置部と同一基板上又はアンテナ設置部の近傍に配置されていることを特徴とする無線機能内蔵情報処理端末装置。
【発明の詳細な説明】
【技術分野】
【０００１】
本発明は、アンテナを含む無線通信装置及び無線機能内蔵情報処理端末装置に関するものであり、特に、アンテナとの関わりにおいて無線通信装置における回路ブロックの配置方法に関するものである。
【背景技術】
【０００２】
一般的に、無線通信装置の高周波部分の回路ブロック構成は、例えば、図５及び図６に示すようになっている。図５はＴＶ(Television)の受信装置の例であり、図６は無線ＬＡＮ（Local Area Network）カードの例である。なお、同図では、簡単のため、本発明に特に関わる部分のみを取り出して簡易化している。
【０００３】
これらの無線通信装置の従来構造では、回路全体又は高周波回路部分が一つの基板上に形成され、その高周波入出力端とアンテナとの間が、ケーブルや伝送線路等により接続されている。このため、その距離は、高周波回路内ブロック間の接続距離よりも長くなっている。
【０００４】
例えば、図５に示すように、ＴＶ受像機の場合は、八木アンテナ１０１とチューナー用ＲＦ(Radio Frequency)ユニット１０３との間が、フィーダー線と呼ばれる長さ数ｍ以上のケーブル１０２で接続されることが一般的である。なお、チューナー用ＲＦ(Radio Frequency)ユニット１０３には、長さ５ｍｍ程度のマイクロスプリットライン１０４・１０６・１０８・１１０を介して帯域通過フィルタ１０５、低雑音増幅器１０７、及びミキサ１０９が設けられている。
【０００５】
また、図６に示すように、無線ＬＡＮカードの場合は、アンテナ２０９はＬＡＮカードの無線ＬＡＮ基板２０１上に高周波回路とともに半田付けされているが、高周波回路ブロックでアンテナ２０９に最も近い帯域通過フィルタ２０７とアンテナ２０９との間は、数ｃｍの５０Ωのマイクロストリップライン２１０で接続されるのが一般的である。なお、ベースバンドＩＣ２０２に接続されるＲＦＩＣ２０３と、送信用パワーアンプ２０５、低雑音増幅器２１３、切り換えスイッチ２１１、及び帯域通過フィルタ２０７との間は、それぞれ長さ５ｍｍ程度のマイクロストリップライン２０４・２１４・２０６・２１２・２０８にて接続されている。
【０００６】
このようなっているのは、高周波回路ブロックはＴＶ受像機の中やパソコンのカードスロット、すなわちセットの筐体の中に入れられるが、アンテナ部は、なるべく周辺に障害物の無い自由空間に近いところで使用した方が、感度が良いため、必然的に回路部分から離れたところに設置されるからである。
【０００７】
また、同一基板上に実装される筐体内に納められる場合でも、不要輻射を防ぐために、高周波回路ブロックはシールドケースで覆われることが一般的である。このため、アンテナと高周波回路ブロックとの間の距離は、他のブロック間の接続距離に比べて長いのが一般的である。
【０００８】
ところで、前記図５は、アンテナが本体と離れている例、図６はアンテナが無線装置基板上に配置されている例であった。一方、図６に示すように、アンテナと無線装置の一部とが同一筐体に納められ、無線装置本体と分離されている場合もある。図７の例は衛星放送受信用装置であり、図７に示すように、１２ＧＨｚという超高周波帯を使用するために、１２ＧＨｚの無線周波数から、一旦、約１ＧＨｚの中間周波数帯に変換する必要があり、回路ブロックとしてダウンコンバーター部が独立している。
【０００９】
また、衛星放送受信という特質上、線状アンテナではなく、開口アンテナの一種であるパラボラアンテナ３０３というアンテナを使用するため、フィードホーン支え３０７に支持されるダウンコンバーター内蔵フィードホーン３０４に一定の体積が必要となり、これがダウンコンバーターの筐体としても共用できる。
【００１０】
これらの理由により、一般に、ダウンコンバーターが形成された基板がダウンコンバーター内蔵フィードホーン３０４と一体化され、パラボラアンテナ３０３におけるパラボラアンテナ用支柱３０５に支持された反射鏡３０６の焦点部近傍に配置され、ダウンコンバーター内蔵フィードホーン３０４の図示しないダウンコンバーターによって伝送損失の低い周波数に変換された後に、長さ数ｍの同軸ケーブル３０２によって屋内の衛星放送受信用チューナー３０１に接続される。
【００１１】
ダウンコンバーター内蔵フィードホーン３０４内部においては、１２ＧＨｚという超高周波を使用するために、配線そのもので受動回路構成をしており、回路ブロック間の接続距離の定義が困難である。
【００１２】
なお、本願発明に関する先行技術としては、特許文献１〜６及び非特許文献１に掲げるものがある。
【特許文献１】特開平７−２８８４８８号公報（平成７年１０月３１日公開）
【特許文献２】特開２００１−２７４７２３号公報（平成１３年１０月５日公開）
【特許文献３】特開平５−１６０６３５号公報（平成５年６月２５日公開）
【特許文献４】特開平７−１９３４２３号公報（平成７年７月２８日公開）
【特許文献５】特開平８−３１６８７０号公報（平成８年１１月２９日公開）
【特許文献６】特開平３−１０２９２２号公報（平成３年４月３０日公開）
【非特許文献１】最新無線ＬＡＮシステムのハードウエア  （トランジスタ技術  ２００１年７月号）
【発明の開示】
【発明が解決しようとする課題】
【００１３】
ところで、近年、シリコン（Ｓｉ）集積回路の高周波化に伴い、中間周波数帯までの動作であったＳｉ製ＲＦＩＣ(Radio Frequency Integrated Circuit)が、無線周波数までを扱えるようになってきた。
【００１４】
このため、線状アンテナを使用することが多い数ＧＨｚ以下の無線システムでは、ダウンコンバーターやアップコンバータと呼ばれる回路ブロックが独立して存在しないことが多くなった。
【００１５】
また、従来は、ブロックダイアとして、アンテナ直近の能動回路である、無線周波数を扱うパワーアンプ、低雑音増幅器の性能向上、及び無線周波数帯フィルタの低損失化等の各回路ブロックの性能向上により、装置の性能を向上してきた。
【００１６】
しかしながら、従来の無線通信装置の配置では、用いられているパワーアンプや低雑音増幅器の個々の性能向上を最大限に活かしてはいないという問題があった。
【００１７】
本発明は、上記従来の問題点に鑑みなされたものであって、その目的は、個々の回路素子の性能や、全体の伝送損失を改善しなくとも、無線機器の総合性能を改善し得る無線通信装置及び無線機能内蔵情報処理端末装置を提供することにある。
【課題を解決するための手段】
【００１８】
本発明では、上記課題を解決するために、無線周波数回路ブロックにおいて、アンテナ直近の能動回路と他の回路ブロックとの配置を以下のようにすることを特徴としている。なお、上記能動回路は、一般には、送信系はパワーアンプ、受信系は低雑音アンプにて構成される。
【００１９】
本発明の無線通信装置は、上記課題を解決するために、アンテナを含む送信系回路ブロックのうち、アンテナの直前の能動回路の入力端と該能動回路の前段能動回路の出力端までの各回路ブロック間の接続距離の和よりも、上記能動回路の出力端からアンテナの入力端までの各回路ブロック間の接続距離の和の方が小さいことを特徴としている。ここで能動回路とは、アンプやミキサを指し、ＭＥＳＦＥＴ（Metal Semiconductor Field Effect Transistor:金属半導体電界効果トランジスタ)を使用したスイッチ等の能動素子を用いた受動回路は含まない。
【００２０】
例えば、アンテナを含む送信系回路ブロックにおいて、アンテナの直前の能動回路を境として同一の損失が該能動回路の入力側にある場合と出力側にある場合とでは、出力側にある方が、無線通信装置の消費電流が大きくなる。また、線形性が必要とされるシステムにおいては、一般に、同じ能動回路から出力を増加させるほど線形性が劣化してしまため、出力側に損失がある場合は、アンテナ端で同じ電力を得るためには線形性が劣化してしまう。したがって、能動回路の出力側の伝送路を極力短くするのが良い。
【００２１】
そこで、本発明によれば、アンテナを含む送信系回路ブロックでは、アンテナの直前の能動回路の入力端と該能動回路の前段能動回路の出力端までの各回路ブロック間の接続距離の和よりも、上記能動回路の出力端からアンテナの入力端までの各回路ブロック間の接続距離の和の方が小さいものとなっている。
【００２２】
すなわち、無線通信装置において、各回路間の接続に要する伝送路の長さを、回路ブロック構成上、アンテナに最も近い能動回路とアンテナとの接続距離が、該アンテナに最も近い能動回路と、回路ブロック構成上、アンテナと反対側にある次の能動回路との接続距離よりも短くなるように配置する。
【００２３】
この結果、トータルサイズの縮小による総伝送損失の低減、個々の回路の性能向上をするのではなく、アンテナの直前の能動回路の出力端とアンテナとの間の接続距離を短くすることにより、無線機器の総合性能を改善し得る無線通信装置を提供することができる。
【００２４】
また、本発明の無線通信装置は、上記記載の無線通信装置において、前記アンテナの直前の能動回路が複数の能動回路を備えた能動回路ブロックから構成されているときには、上記能動回路ブロックの出力端からアンテナの入力端までの各回路ブロック間の接続距離の和が、上記能動回路ブロックにおける最終段の能動回路の入力端と該最終段の前段の能動回路の出力端との間の各回路ブロック間の接続距離よりも小さいことを特徴としている。
【００２５】
すなわち、アンテナの直前の能動回路が複数の能動回路を備えた能動回路ブロックから構成されている場合には、無線通信装置の受信感度が大きくなるか否かについて着目すべきアンテナの直前の能動回路は、能動回路ブロックにおける最終段の能動回路である。
【００２６】
そこで、本発明では、アンテナの直前の能動回路が複数の能動回路を備えた能動回路ブロックから構成されているときには、能動回路ブロックの出力端からアンテナの入力端までの各回路ブロック間の接続距離の和が、上記能動回路ブロックにおける最終段の能動回路の入力端と該最終段の前段の能動回路の出力端との間の各回路ブロック間の接続距離よりも小さくなるようにしている。
【００２７】
これにより、アンテナの直前の能動回路の出力側の伝送路を極力短くするのが良いという考えの下、トータルサイズの縮小による総伝送損失の低減、個々の回路の性能向上をするのではなく、アンテナの直前の能動回路の出力端とアンテナとの間の接続距離を短くすることにより、無線機器の総合性能を改善し得る無線通信装置を提供することができる。
【００２８】
また、本発明の無線通信装置は、上記記載の無線通信装置において、前記アンテナの直前の能動回路がパワーアンプであることを特徴としている。
【００２９】
上記の発明によれば、アンテナの直前の能動回路がパワーアンプであるので、一般的な無線通信装置において、本発明の効果を得ることができる。
【００３０】
また、本発明の無線通信装置は、上記記載の無線通信装置において、アンテナを含む受信系回路ブロックのうち、アンテナの直後の能動回路の出力端と該能動回路の後段の能動回路の入力端までの各回路ブロック間の接続距離の和よりも、上記アンテナの直後の能動回路の入力端からアンテナの出力端までの各回路ブロック間の接続距離の和の方が小さいことを特徴としている。
【００３１】
すなわち、受信系を考えた場合においても、多段増幅器における雑音測度の理論から判断できるように、低雑音増幅器の入力端とアンテナの出力端とを可能な限り短くして入力部の損失を少なくしてやれば良い。
【００３２】
そこで、本発明では、アンテナを含む受信系回路ブロックのうち、アンテナの直後の能動回路の出力端と該能動回路の後段の能動回路の入力端までの各回路ブロック間の接続距離の和よりも、上記アンテナの直後の能動回路の入力端からアンテナの出力端までの各回路ブロック間の接続距離の和の方が小さくなるようにしている。
【００３３】
すなわち、無線通信装置において、各回路間の接続に要する伝送路の長さを、回路ブロック構成上、アンテナに最も近い能動回路とアンテナとの接続距離が、該アンテナに最も近い能動回路と、回路ブロック構成上、アンテナと反対側にある次の能動回路との接続距離よりも短くなるように配置する。
【００３４】
この結果、トータルサイズの縮小による総伝送損失の低減、個々の回路の性能向上をするのではなく、アンテナの直後の能動回路の入力端とアンテナとの間の接続距離を短くすることにより、無線機器の総合性能を改善し得る無線通信装置を提供することができる。
【００３５】
また、本発明の無線通信装置は、上記記載の無線通信装置において、前記アンテナの直後の能動回路が、複数の能動回路を備えた能動回路ブロックから構成されているときには、上記能動回路ブロックの入力端からアンテナの出力端までの各回路ブロック間の接続距離の和が、上記能動回路ブロックにおける第１段の能動回路の出力端と第２段の能動回路の入力端までの各回路ブロック間の接続距離の和よりも小さいことを特徴としている。
【００３６】
すなわち、アンテナを含む受信系回路ブロックにおいても、前述したアンテナを含む送信系回路ブロックの場合と同様に、アンテナの直前の能動回路が複数の能動回路を備えた能動回路ブロックから構成されている場合には、無線通信装置の受信感度が大きくなるか否かについて着目すべきアンテナの直前の能動回路は、複数の能動回路ブロックにおける第１段の能動回路である。
【００３７】
そこで、本発明では、アンテナの直後の能動回路が、複数の能動回路を備えた能動回路ブロックから構成されているときには、上記能動回路ブロックの入力端からアンテナの出力端までの各回路ブロック間の接続距離の和が、上記能動回路ブロックにおける第１段の能動回路の出力端と第２段の能動回路の入力端までの各回路ブロック間の接続距離の和よりも小さくなるようにしている。
【００３８】
これにより、アンテナの直前の能動回路の出力側の伝送路を極力短くするのが良いという考えの下、トータルサイズの縮小による総伝送損失の低減、個々の回路の性能向上をするのではなく、アンテナの直前の能動回路の入力端とアンテナとの間の接続距離を短くすることにより、無線機器の総合性能を改善し得る無線通信装置を提供することができる。
【００３９】
また、本発明の無線通信装置は、上記記載の無線通信装置において、前記アンテナの直後の能動回路が低雑音増幅器であることを特徴としている。
【００４０】
上記の発明によれば、前記アンテナの直後の能動回路が低雑音増幅器であるので、一般的な無線通信装置において、本発明の効果を得ることができる。
【００４１】
また、本発明の無線通信装置は、上記記載のアンテナを含む送信系回路ブロックに関する無線通信装置と、アンテナを含む受信系回路ブロックに関する無線通信装置とを組み合わせてなることを特徴としている。
【００４２】
上記の発明によれば、上記記載のアンテナを含む送信系回路ブロックに関する無線通信装置と、アンテナを含む受信系回路ブロックに関する無線通信装置とを組み合わせてなるので、アンテナを含む送信系回路ブロック及びアンテナを含む受信系回路ブロックの両方において、トータルサイズの縮小による総伝送損失の低減、個々の回路の性能向上をするのではなく、アンテナの直前直後の能動回路の出力端とアンテナとの間の接続距離を短くすることにより、無線機器の総合性能を改善し得る無線通信装置を提供することができる。
【００４３】
また、本発明の無線通信装置は、上記記載のアンテナを含む送信系回路ブロックを備えた無線通信装置において、前記アンテナの直前の能動回路以降、アンテナまでの各回路ブロックの一部又は全部が、該アンテナの直前の能動回路の前段の能動回路が形成された基板とは異なる一つの基板上に形成されていることを特徴としている。
【００４４】
上記の発明によれば、前記アンテナの直前の能動回路以降、アンテナまでの各回路ブロックの一部又は全部が、該アンテナの直前の能動回路の前段の能動回路が形成された基板とは異なる一つの基板上に形成されているので、アンテナの直前の能動回路の出力端とアンテナとの間の接続距離を短くすることが容易となり、確実に、無線機器の総合性能を改善し得る無線通信装置を提供することができる。
【００４５】
また、本発明の無線通信装置は、上記記載のアンテナを含む送信系回路ブロックを備えた無線通信装置において、前記アンテナの直前の能動回路以降、アンテナまでの各回路ブロックの一部又は全部が、該アンテナの直前の能動回路の前段の能動回路が形成された回路ブロックとは異なる一つの回路ブロックとして形成されていることを特徴としている。
【００４６】
上記の発明によれば、前記アンテナの直前の能動回路以降、アンテナまでの各回路ブロックの一部又は全部が、該アンテナの直前の能動回路の前段の能動回路が形成された回路ブロックとは異なる一つの回路ブロックとして形成されているので、アンテナの直前の能動回路の出力端とアンテナとの間の接続距離を短くすることが容易となり、確実に、無線機器の総合性能を改善し得る無線通信装置を提供することができる。
【００４７】
また、本発明の無線通信装置は、上記記載のアンテナを含む受信系回路ブロックブロックを備えた無線通信装置において、前記アンテナ以降、アンテナの直後の能動回路までの各回路ブロックの一部又は全部が、該アンテナの直後の能動回路の後段の能動回路が形成された基板とは異なる一つの基板上に形成されていることを特徴としている。
【００４８】
上記の発明によれば、前記アンテナ以降、アンテナの直後の能動回路までの各回路ブロックの一部又は全部が、該アンテナの直後の能動回路の後段の能動回路が形成された基板とは異なる一つの基板上に形成されているので、アンテナの直後の能動回路の入力端とアンテナとの間の接続距離を短くすることが容易となり、確実に、無線機器の総合性能を改善し得る無線通信装置を提供することができる。
【００４９】
また、本発明の無線通信装置は、上記記載のアンテナを含む受信系回路ブロックブロックを備えた無線通信装置において、前記アンテナ以降、アンテナの直後の能動回路までの各回路ブロックの一部又は全部が、該アンテナの直後の能動回路の後段の能動回路が形成された回路ブロックとは異なる一つの回路ブロックとして形成されていることを特徴としている。
【００５０】
上記の発明によれば、前記アンテナ以降、アンテナの直後の能動回路までの各回路ブロックの一部又は全部が、該アンテナの直後の能動回路の後段の能動回路が形成された回路ブロックとは異なる一つの回路ブロックとして形成されているので、アンテナの直後の能動回路の入力端とアンテナとの間の接続距離を短くすることが容易となり、確実に、無線機器の総合性能を改善し得る無線通信装置を提供することができる。
【００５１】
また、本発明の無線通信装置は、上記記載の無線通信装置において、上記記載のアンテナを含む送信系回路ブロックに関してアンテナの直前の能動回路以降、アンテナまでの各回路ブロックの一部又は全部が、該アンテナの直前の能動回路の前段の能動回路が形成された基板又は回路ブロックとは異なる一つの基板上に又は回路ブロックとして形成されている無線通信装置と、アンテナを含む受信系回路ブロックに関してアンテナ以降、アンテナの直後の能動回路までの各回路ブロックの一部又は全部が、該アンテナの直後の能動回路の後段の能動回路が形成された回路ブロックとは異なる一つの基板上に又は回路ブロックとして形成されている無線通信装置とを組み合わせてなることを特徴としている。
【００５２】
上記の発明によれば、上記記載のアンテナを含む送信系回路ブロックの無線通信装置の発明と、アンテナを含む受信系回路ブロックの無線通信装置の発明とを組み合わせた無線通信装置を提供することができる。
【００５３】
また、本発明の無線通信装置は、上記記載の無線通信装置において、中間周波数回路若しくは変復調回路と無線周波入出力回路とが１パッケージ又は１チップにて設けられている回路ブロックを有することを特徴としている。
【００５４】
上記の発明によれば、中間周波数回路若しくは変復調回路と無線周波入出力回路とが１パッケージ又は１チップにて設けられている回路ブロックを有する無線通信装置に本発明を適用することができる。
【００５５】
また、本発明の無線通信装置は、上記記載の無線通信装置において、前記アンテナは、線状アンテナであることを特徴としている。
【００５６】
上記の発明によれば、線状アンテナを用いた無線通信装置に本発明を適用することができる。
【００５７】
また、本発明の無線通信装置は、上記記載の無線通信装置において、各回路間の接続距離の大小を、伝送線路の高周波伝送損失の大小に置換えたことを特徴としている。
【００５８】
上記の発明によれば、各回路間の接続距離の大小を、伝送線路の高周波伝送損失の大小に置換えたものである。
【００５９】
したがって、レイアウトの変更のみで、アンテナと、該アンテナの直前の能動回路との間の高周波伝送損失を低減することにより、高線形、低雑音及び低消費電流の無線通信装置を提供することができる。
【００６０】
また、本発明の無線機能内蔵情報処理端末装置は、上記課題を解決するために、無線機能内蔵部とアンテナ設置部とが物理的に離れてなる無線機能内蔵情報処理端末装置であって、前記記載の無線通信装置を備え、上記アンテナの直前の能動回路を含むフロントエンド部が、上記無線機能内蔵部と分離されてアンテナ設置部と同一基板上又はアンテナ設置部の近傍に配置されていることを特徴としている。
【００６１】
上記の発明によれば、前記記載の無線通信装置を備え、上記アンテナの直前の能動回路を含むフロントエンド部が、上記無線機能内蔵部と分離されてアンテナ設置部と同一基板上又はアンテナ設置部の近傍に配置されている。このため、ケーブルによる伝送損失相当分の性能改善効果が得られる。すなわち、従来と同じ性能の回路ブロックを用いた場合、システム性能がケーブルの損失分向上する。また、従来と同様のアンテナ出力とした場合、従来と比較して、高線形、低雑音（高感度）及び低消費電流の無線機能内蔵情報処理端末装置を提供することができる。
【発明の効果】
【００６２】
本発明の無線通信装置では、無線通信装置及び無線機能内蔵情報処理端末装置において、各回路間の接続に要する伝送路の長さを、回路ブロック構成上、アンテナに最も近い能動回路とアンテナとの接続距離が、該アンテナに最も近い能動回路と、回路ブロック構成上、アンテナと反対側にある次の能動回路との接続距離よりも短くなるように配置する。
【００６３】
この結果、トータルサイズの縮小による総伝送損失の低減、個々の回路の性能向上をするのではなく、アンテナの直前の能動回路の出力端とアンテナとの間の接続距離を短くすることにより、無線機器の総合性能を改善し得る無線通信装置を提供することができるという効果を奏する。
【発明を実施するための最良の形態】
【００６４】
〔実施の形態１〕
本発明の実施の一形態について図１に基づいて説明すれば、以下の通りである。なお、本実施の形態及び後続の実施の形態では、無線通信装置としての無線ＬＡＮカード及び無線ＬＡＮ装置について説明するが、本発明の無線通信装置は、必ずしもこれに限らず、例えば、ＴＶ(Television)の受信装置等にも適用可能である。
【００６５】
本実施の形態の無線通信装置としての無線ＬＡＮカード１０は、図１に示すように、無線ＬＡＮ基板１上にベースバンドＩＣ２、ＲＦＩＣ３、送信用パワーアンプ４、低雑音増幅器５、送受信切り換えスイッチ６、帯域通過フィルタ７及びアンテナ８を備えている。上記アンテナ８は、無線ＬＡＮ基板１に半田付けされている。上記送信用パワーアンプ４及び低雑音増幅器５は、本発明のアンテナ直前の能動回路として機能するものとなっている。また、ＲＦＩＣ３は、本発明の前段能動回路として機能するものとなっている。
【００６６】
すなわち、上記無線ＬＡＮカード１０は、送信系回路ブロック１０ａと受信系回路ブロック１０ｂとを合わせた装置としてなっている。
【００６７】
上記送信系回路ブロック１０ａは、同図において二点鎖線で示すように、ベースバンドＩＣ２、ＲＦＩＣ３、送信用パワーアンプ４、送受信切り換えスイッチ６、帯域通過フィルタ７及びアンテナ８にてなっている。また、受信系回路ブロック１０ｂは、同図において一点鎖線で示すように、アンテナ８、帯域通過フィルタ７、送受信切り換えスイッチ６、低雑音増幅器５、ＲＦＩＣ３及びベースバンドＩＣ２からなっている。
【００６８】
上記各回路の間は、伝送線路１１・１５、及び伝送線路１２・１３・１４・１６にて接続されている。上記伝送線路１１・１５は、例えば、長さ３０ｍｍのマイクロスプリットラインにてなっている一方、伝送線路１２・１３・１４・１６は、例えば、長さ５ｍｍのマイクロスプリットラインからなっている。
【００６９】
そして、本実施の形態では、送受信切り換えスイッチ６によって、上記送信系回路ブロック１０ａと受信系回路ブロック１０ｂとが切り替えられるようになっている。
【００７０】
本実施の形態の無線ＬＡＮカード１０では、上記アンテナ８を含む送信系回路ブロック１０ａのうち、アンテナ８の直前の能動回路である送信用パワーアンプ４の入力端４ａと、この送信用パワーアンプ４の前段能動回路としてのＲＦＩＣ３の出力端３ａまでの接続距離としての伝送線路１１の長さよりも、送信用パワーアンプ４の出力端４ｂからアンテナ８の入力端及び出力端としての入出力端８ａまでの各回路ブロック間の接続距離である伝送線路１２・１３・１４の和の方が小さくなっている。
【００７１】
この結果、本実施の形態では、従来技術の説明図である図６に比較して、送信系の伝送線路の合計長は変わらない。すなわち、図６における伝送線路２０４・２０６・２０８・２１０の長さの和と、図１における伝送線路１１・１２・１３・１４の和とは変わらない。
【００７２】
しかし、本実施の形態では、従来のパワーアンプ２０５の出力端２０５ａからアンテナ２０９の入出力端２０９ａまでの接続距離の和である伝送線路２０６・２０８・２１０の和を２５ｍｍ短くしている。すなわち、図１における伝送線路１２・１３・１４の和を、図６における伝送線路２０６・２０８・２１０の長さの和よりも２５ｍｍ短縮している。そのかわりに、逆に、図１における伝送線路１１の長さを図６における伝送線路２０４の長さよりも２５ｍｍ長くしている。
【００７３】
また、受信系回路ブロック１０ｂにおいても、同様に、アンテナ８を含む受信系回路ブロック１０ｂのうち、アンテナ８の直後の能動回路としての低雑音増幅器５の出力端５ｂとこの低雑音増幅器５の後段の能動回路であるＲＦＩＣ３の入力端３ｂまでの各回路ブロック間の接続距離である伝送線路１５よりも、低雑音増幅器５の入力端５ａからアンテナ８の出力端としての入出力端８ａまでの各回路ブロック間の接続距離の和である伝送線路１６・１３・１４の和の方が小さくなっている。
【００７４】
ここで、具体的に、アンテナ８から最初の能動回路である送信用パワーアンプ４及び低雑音増幅器５までの損失の低減について説明する。
【００７５】
すなわち、本実施の形態では、トータルサイズの縮小による総伝送損失の低減、及び個々の回路の性能向上をするのではなく、送信用パワーアンプ４の出力端４ｂとアンテナ８の入出力端８ａとの間、又は低雑音増幅器５の入力端５ａとアンテナ８の入出力端８ａとの間の接続距離を短くすることにより、無線機器の総合性能を改善するものである。
【００７６】
簡単のために、例えば、送信用パワーアンプ４と、前置増幅器と、アンテナ８と、損失が１ｄＢの伝送路のみとで構成され、アンテナ８への入力パワーが３０ｄＢｍ必要な送信システムを想定する。
【００７７】
前置増幅器は、理想Ａ級動作で消費電流５ｍＡとする。また、送信用パワーアンプ４は、ＡＢ級動作をしており、所望出力付近での利得は３０ｄＢとする。そして、送信用パワーアンプ４の３０ｄＢｍ出力時の消費電流が６００ｍＡであり、３１ｄＢｍ出力時の電流が７００ｍＡと仮定する。
【００７８】
例えば、伝送路が送信用パワーアンプ４と前置増幅器との間にある場合、送信用パワーアンプ４の入力レベルは１ｄＢｍ必要であり、前置増幅器の消費電流は５ｍＡ、送信用パワーアンプ４の消費電流は６００ｍＡとなり、この送信システムの消費電流は、６０５ｍＡとなる。
【００７９】
一方、伝送路が送信用パワーアンプ４の出力部、すなわち送信用パワーアンプ４とアンテナ８との間にある場合、その損失が１ｄＢであるので、送信用パワーアンプ４の出力が３１ｄＢｍ必要なため、前置増幅器の消費電流は５ｍＡ、送信用パワーアンプ４の消費電流は７００ｍＡとなり、この送信システムの消費電流は、７０５ｍＡとなる。
【００８０】
このように、同一の損失が送信用パワーアンプ４の入力側にある場合と出力側にある場合とでは、出力側にある方が、消費電流が大きくなってしまう。また、線形性が必要とされるシステムにおいては、一般に、同じパワーアンプから出力を増加させるほど線形性が劣化してしまうため、出力側に損失がある場合は、アンテナ端で同じ電力を得るためには線形性が劣化してしまう。したがって、送信用パワーアンプ４の出力側の伝送路を極力短くしてやれば良い。
【００８１】
また、受信系を考えた場合、多段増幅器における雑音測度の理論からわかるように、低雑音増幅器５の入力端５ａとアンテナ８の入出力端８ａを可能な限り短くして入力部の損失を少なくしてやれば良い。
【００８２】
すなわち、無線通信装置において、各回路間の接続に要する伝送路の長さを、回路ブロック構成上、アンテナ８に最も近い能動回路とアンテナ８との接続距離が、該能動回路と回路ブロック構成上、アンテナ８と反対側にある次の能動回路との接続距離よりも短くなるように配置する。
【００８３】
本実施の形態により、送信系回路ブロック１０ａ及び受信系回路ブロック１０ｂとも総合利得は変化しないが、通常、これら無線ＬＡＮカード１０の無線ＬＡＮ基板１としてはＦＲ−４基板が用いられているため、アンテナ８から最初の能動回路である送信用パワーアンプ４及び低雑音増幅器５までの損失を約０．５ｄＢ低減でき、無線通信装置の性能向上を実現できる。
【００８４】
このように、本実施の形態の無線ＬＡＮ基板１では、アンテナ８を含む送信系回路ブロック１０ａでは、アンテナ８の直前の送信用パワーアンプ４の入力端４ａと該送信用パワーアンプ４の前段能動回路であるＲＦＩＣ３の出力端３ａまでの各回路ブロック間の接続距離の和である伝送線路１１よりも、送信用パワーアンプ４の出力端４ｂからアンテナ８の入出力端８ａまでの各回路ブロック間の接続距離である伝送線路１２・１３・１４の和の方が小さいものとなっている。
【００８５】
すなわち、無線ＬＡＮカード１０において、各回路間の接続に要する伝送路の長さを、回路ブロック構成上、アンテナ８に最も近い送信用パワーアンプ４とアンテナ８との接続距離が、アンテナ８に最も近い送信用パワーアンプ４と、回路ブロック構成上、アンテナ８と反対側にある次の能動回路であるＲＦＩＣ３との接続距離よりも短くなるように配置する。
【００８６】
この結果、トータルサイズの縮小による総伝送損失の低減、個々の回路の性能向上をするのではなく、アンテナ８の直前の送信用パワーアンプ４の出力端４ｂとアンテナ８との間の接続距離を短くすることにより、無線機器の総合性能を改善し得る無線ＬＡＮカード１０を提供することができる。
【００８７】
また、本実施の形態の無線ＬＡＮカード１０では、アンテナ８の直前の送信用パワーアンプ４がパワーアンプであるので、一般的な無線通信装置において、本発明の効果を得ることができる。
【００８８】
また、本実施の形態の無線ＬＡＮカード１０では、アンテナ８を含む受信系回路ブロック１０ｂのうち、アンテナ８の直後の低雑音増幅器５の出力端５ｂと該低雑音増幅器５の後段の能動回路であるＲＦＩＣ３の入力端３ｂまでの各回路ブロック間の接続距離の和である伝送線路１５よりも、上記アンテナ８の直後の低雑音増幅器５の入力端５ａからアンテナ８の入出力端８ａまでの各回路ブロック間の接続距離の和である伝送線路１６・１３・１４の方が小さくなるようにしている。
【００８９】
すなわち、無線ＬＡＮカード１０において、各回路間の接続に要する伝送路の長さを、回路ブロック構成上、アンテナ８に最も近い低雑音増幅器５とアンテナ８との接続距離である伝送線路１６・１３・１４の和が、該アンテナ８に最も近い低雑音増幅器５と、回路ブロック構成上、アンテナ８と反対側にある次の能動回路であるＲＦＩＣ３との接続距離である伝送線路１５よりも短くなるように配置する。
【００９０】
この結果、トータルサイズの縮小による総伝送損失の低減、個々の回路の性能向上をするのではなく、アンテナの直後の低雑音増幅器５の入力端５ａとアンテナ８との間の接続距離である伝送線路１６・１３・１４を短くすることにより、無線機器の総合性能を改善し得る無線ＬＡＮカード１０を提供することができる。
【００９１】
また、本実施の形態の無線ＬＡＮカード１０では、アンテナ８の直後の能動回路が低雑音増幅器５であるので、一般的な無線通信装置において、本発明の効果を得ることができる。
【００９２】
また、本実施の形態の無線ＬＡＮカード１０では、アンテナ８を含む送信系回路ブロック１０ａとアンテナ８を含む受信系回路ブロック１０ｂとを組み合わせてなるので、送信系回路ブロック１０ａ及び受信系回路ブロック１０ｂの両方において、トータルサイズの縮小による総伝送損失の低減、個々の回路の性能向上をするのではなく、アンテナの直前直後の能動回路の出力端とアンテナとの間の接続距離を短くすることにより、無線機器の総合性能を改善し得る無線ＬＡＮカード１０を提供することができる。
【００９３】
また、本実施の形態の無線ＬＡＮカード１０では、アンテナ８は、線状アンテナである。
【００９４】
したがって、線状アンテナを備えた無線ＬＡＮカード１０に対して、個々の回路素子の性能や、全体の伝送損失を改善しなくとも、無線機器の総合性能を改善し得る無線ＬＡＮカード１０を提供することができる。
【００９５】
また、本実施の形態の無線ＬＡＮカード１０では、各回路間の接続距離の大小を、伝送線路の高周波伝送損失の大小に置換えたものとすることができる。
【００９６】
したがって、レイアウトの変更のみで、アンテナ８と、送信用パワーアンプ４又は低雑音増幅器５との間の高周波伝送損失を低減することにより、高線形、低雑音及び低消費電流の無線ＬＡＮカード１０を提供することができる。
【００９７】
〔実施の形態２〕
本発明の他の実施の形態について図２に基づいて説明すれば、以下の通りである。なお、本実施の形態で述べる以外の構成は、前記実施の形態１と同じである。したがって、説明の便宜上、前記の実施の形態１の図面に示した部材と同一の機能を有する部材については、同一の符号を付し、その説明を省略する。
【００９８】
本実施の形態の無線ＬＡＮカード１０は、図２に示すように、送信用パワーアンプ４が複数の後置増幅器３１及び前置増幅器３２にて構成される能動回路ブロック３０からなっている点が、前記実施の形態１と異なっており、それ以外は前記実施の形態１の無線ＬＡＮカード１０と同じである。
【００９９】
なお、図２は、無線ＬＡＮカード１０の送信系回路ブロック１０ａのみを記述している。また、能動回路ブロック３０における上記後置増幅器３１及び前置増幅器３２との間は、長さ２０ｍｍのマイクロスプリットラインにてなる伝送線路３３にて接続されている。
【０１００】
本実施の形態においては、伝送線路１２・１３・１４の長さの和をＬ１とし、伝送線路３３の長さをＬ２とし、伝送線路３４の長さをＬ３としたとき、Ｌ２＞Ｌ１＞Ｌ３の関係があるようになっている。
【０１０１】
本実施の形態においては、実施の形態１における送信用パワーアンプ４を能動回路ブロック３０と見なした場合、一見、長さＬ１＜長さＬ３にはあてはまらない。
【０１０２】
しかしながら、これまで説明してきたとおり、本発明における要件は、アンテナ８直近の能動回路における入出力線路の長さの関係であり、本実施の形態の場合、後置増幅器３１を本発明の能動回路と見なすべきである。すなわち、この場合は長さＬ１と長さＬ２の関係に着目すべきであって、Ｌ１＜Ｌ２であれば、伝送線路３３の長さは気にする必要は無い。
【０１０３】
このように、本実施の形態の無線ＬＡＮカード１０では、アンテナ８の直前の能動回路が複数の能動回路である後置増幅器３１及び前置増幅器３２を備えた能動回路ブロック３０から構成されているときには、能動回路ブロック３０の出力端３１ｂからアンテナ８の入出力端８ａまでの各回路ブロック間の接続距離である伝送線路１２・１３・１４の和が、上記能動回路ブロック３０における最終段の後置増幅器３１の入力端３１ａと該後置増幅器３１の前段の能動回路である前置増幅器３２の出力端３２ｂとの間の各回路ブロック間の接続距離である伝送線路３３よりも小さくなるようにしている。
【０１０４】
これにより、アンテナ８の直前の能動回路の出力側の伝送路を極力短くするのが良いという考えの下、トータルサイズの縮小による総伝送損失の低減、個々の回路の性能向上をするのではなく、アンテナ８の直前の後置増幅器３１の出力端３１ｂとアンテナ８との間の接続距離である伝送線路１２・１３・１４を短くすることにより、無線機器の総合性能を改善し得る無線ＬＡＮカード１０を提供することができる。
【０１０５】
なお、本発明は、上記の実施の形態に限定されるものではなく、本発明の範囲内で種々の変更が可能である。例えば、上記実施の形態では、送信系回路ブロック１０ａについて、能動回路ブロック３０を有する場合について説明しているが、特にこれに限定するものではなく、例えば、受信系回路ブロック１０ｂについても同様に能動回路ブロック３０を有することも可能である。
【０１０６】
これによっても、アンテナ８の直後の能動回路の出力側の伝送路を極力短くするのが良いという考えの下、トータルサイズの縮小による総伝送損失の低減、個々の回路の性能向上をするのではなく、アンテナ８の直後の能動回路の入力端とアンテナとの間の接続距離を短くすることにより、無線機器の総合性能を改善し得る無線ＬＡＮカード１０を提供することができる。
【０１０７】
〔実施の形態３〕
本発明のさらに他の実施の形態について図３に基づいて説明すれば、以下の通りである。なお、本実施の形態で述べる以外の構成は、前記実施の形態１及び実施の形態２と同じである。したがって、説明の便宜上、前記の実施の形態１及び実施の形態２の図面に示した部材と同一の機能を有する部材については、同一の符号を付し、その説明を省略する。
【０１０８】
本実施の形態のアンテナ分離型の無線ＬＡＮ装置５０が、前記実施の形態１と異なる点は、図３に示すように、アンテナ８が無線ＬＡＮ回路本体５１と同一基板上にはなく、アンテナ８が実装されているフロントエンド基板６１が無線ＬＡＮ回路本体基板５２と長さ２０ｃｍの同軸ケーブル７１にて接続されている点、また、アンテナ８を２系統用いてダイバーシティ効果を利用するため、アンテナ８を含んだ同一構成のフロントエンド基板６２も無線ＬＡＮ回路本体基板５２と長さ２０ｃｍの同軸ケーブル７２にて接続されている点である。
【０１０９】
すなわち、本実施の形態では、無線ＬＡＮ回路本体５１は、無線ＬＡＮ回路本体基板５２上にベースバンド・ＲＦＩＣ５３と、ダイバーシティ切り換えスイッチ５４とを備えており、その間は長さ５ｍｍのマイクロストリップラインからなる伝送線路５５・５６にて接続されている。
【０１１０】
また、フロントエンド基板６１には、前記実施の形態１と同様に、送信用パワーアンプ４、低雑音増幅器５、送受信切り換えスイッチ６、帯域通過フィルタ７及びアンテナ８を備えており、各回路の間は、長さ５ｍｍのマイクロストリップラインからなる伝送線路１１・１５・１２・１６・１３・１４にて接続されている。また、本実施の形態では、長さ５ｍｍのマイクロストリップラインからなる伝送線路１１・１５と長さ２０ｃｍの同軸ケーブル７１の間にも送受信切り換えスイッチ６が設けられている。
【０１１１】
また、フロントエンド基板６２もフロントエンド基板６１と同様の構成となっている。
【０１１２】
なお、本実施の形態では、同図に示すように、無線ＬＡＮ回路本体５１から各アンテナ８・８までの高周波伝送線路を１系統ずつにするために、送受信切り換えスイッチ６をフロントエンド基板６１・６２側に設けているが、必ずしもこれに限らず、例えば、伝送線路を送受信２系統ずつとして、送受信切り換えスイッチ６を無線ＬＡＮ回路本体基板５２に載せて送受信切り換えスイッチ６を削減しても良い。
【０１１３】
本実施の形態では、同軸ケーブル７１・７２の長さをそれぞれ２０ｃｍとしているので、直径０．８ｍｍ程度のテフロン（登録商標）ケーブルによる５ＧＨｚの伝送を前提とした場合、本発明の手法を用いることにより、アンテナ８から最初の能動回路である送信用パワーアンプ４及び低雑音増幅器５までの損失を約２ｄＢ低減できる。
【０１１４】
このように、本実施の形態の無線ＬＡＮ装置５０における送信系回路ブロック１０ａでは、アンテナ８の直前の送信用パワーアンプ４以降、アンテナ８までの各回路ブロックの全部が、その送信用パワーアンプ４の前段のベースバンド・ＲＦＩＣ５３が形成された基板としての無線ＬＡＮ回路本体基板５２とは異なる一つのフロントエンド基板６１・６２上に形成されているので、アンテナ８の直前の送信用パワーアンプ４の出力端４ｂとアンテナ８との間の接続距離を短くすることが容易となり、確実に、無線機器の総合性能を改善し得る無線ＬＡＮ装置５０を提供することができる。
【０１１５】
また、本実施の形態の無線ＬＡＮ装置５０における送信系回路ブロック１０ａでは、アンテナ８の直前の送信用パワーアンプ４以降、アンテナ８までの各回路ブロックの全部が、該アンテナ８の直前の送信用パワーアンプ４の前段のベースバンド・ＲＦＩＣ５３が形成された回路ブロックとは異なる一つの送信系回路ブロック１０ａとして形成されているので、アンテナ８の直前の送信用パワーアンプ４の出力端４ｂとアンテナ８との間の接続距離を短くすることが容易となり、確実に、無線機器の総合性能を改善し得る無線ＬＡＮ装置５０を提供することができる。
【０１１６】
なお、上記においては、アンテナ８の直前の送信用パワーアンプ４以降、アンテナ８までの各回路ブロックの一部、例えば、送信用パワーアンプ４とスイッチ６とが、該アンテナ８の直前の送信用パワーアンプ４の前段のベースバンド・ＲＦＩＣ５３が形成された無線ＬＡＮ回路本体基板５２とは異なる一つの基板上に形成するか又はベースバンド・ＲＦＩＣ５３が形成された回路ブロックとは異なる回路ブロックとして形成し、帯域通過フィルタ７とアンテナ８とをさらに別基板若しくは別回路ブロックで形成することが可能である。
【０１１７】
また、本実施の形態の無線ＬＡＮ装置５０における受信系回路ブロック１０ｂでは、アンテナ８以降、アンテナ８の直後の低雑音増幅器５までの各回路ブロックの全部が、該アンテナ８の直後の低雑音増幅器５の後段のベースバンド・ＲＦＩＣ５３が形成された無線ＬＡＮ回路本体基板５２とは異なる一つのフロントエンド基板６１・６２上に形成されているので、アンテナ８の直後の低雑音増幅器５の入力端５ａとアンテナ８との間の接続距離を短くすることが容易となり、確実に、無線機器の総合性能を改善し得る無線ＬＡＮ装置５０を提供することができる。
【０１１８】
また、本実施の形態の無線ＬＡＮ装置５０における受信系回路ブロック１０ｂでは、アンテナ８以降、アンテナ８の直後の低雑音増幅器５までの各回路ブロックの全部が、アンテナ８の直後の低雑音増幅器５の後段のベースバンド・ＲＦＩＣ５３が形成された回路ブロックとは異なる一つの受信系回路ブロック１０ｂとして形成されているので、アンテナ８の直後の低雑音増幅器５の入力端５ａとアンテナ８との間の接続距離を短くすることが容易となり、確実に、無線機器の総合性能を改善し得る無線ＬＡＮ装置５０を提供することができる。
【０１１９】
また、本実施の形態の無線ＬＡＮ装置５０では、上記のアンテナ８を含む送信系回路ブロック１０ａと、受信系回路ブロック１０ｂとが組み合わせてなっている。
【０１２０】
このため、送信系回路ブロック１０ａと受信系回路ブロック１０ｂとを一体にした無線ＬＡＮ装置５０を提供することができる。
【０１２１】
なお、上記においては、アンテナ８以降、アンテナ８の直後の低雑音増幅器５までの各回路ブロックの一部、例えば、低雑音増幅器５とスイッチ６とが、該アンテナ８の直後の低雑音増幅器５の後段のベースバンド・ＲＦＩＣ５３が形成された無線ＬＡＮ回路本体基板５２とは異なる一つの基板上に形成するか又はベースバンド・ＲＦＩＣ５３が形成された回路ブロックとは異なる回路ブロックとして形成し、帯域通過フィルタ７とアンテナ８とをさらに別基板若しくは別回路ブロックで形成することが可能である。
【０１２２】
また、本実施の形態の無線ＬＡＮ装置５０では、中間周波数回路若しくは変復調回路と無線周波入出力回路とが１パッケージ又は１チップにて設けられている回路ブロックであるベースバンド・ＲＦＩＣ５３を有している。
【０１２３】
したがって、ベースバンド・ＲＦＩＣ５３を備えた無線ＬＡＮ装置５０について、個々の回路素子の性能や、全体の伝送損失を改善しなくとも、無線機器の総合性能を改善し得る無線ＬＡＮ装置５０を提供することができる。
【０１２４】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２５】
〔実施の形態４〕
本発明のさらに他の実施の形態について図４に基づいて説明すれば、以下の通りである。なお、本実施の形態で述べる以外の構成は、前記実施の形態１〜実施の形態３と同じである。したがって、説明の便宜上、前記の実施の形態１〜実施の形態３の図面に示した部材と同一の機能を有する部材については、同一の符号を付し、その説明を省略する。
【０１２６】
まず、従来、一般に用いられている無線ＬＡＮ機能を内蔵したノートブックパーソナルコンピュータ（ＰＣ）は、図８に示すように、ＰＣ本体部４００に、ミニＰＣＩと呼ばれる無線ＬＡＮモジュール４０１が内蔵され、液晶表示部４０２の両側にそれぞれアンテナ４０３・４０４が配置され、ダイバーシティー送受信を行なっている。アンテナ４０３・４０４と、無線ＬＡＮモジュール４０１は、直径０．８ｍｍ程度のテフロン（登録商標）ケーブル４０５・４０６にて接続されている。
【０１２７】
しかしながら、上記従来のノートブックＰＣでは、テフロン（登録商標）ケーブル４０５・４０６の長さが約２０ｃｍあり、５ＧＨｚでのその損失は、約２ｄＢである。したがって、無線ＬＡＮモジュール４０１にアンテナ４０３・４０４が組み込まれている場合に比べて、出力、雑音指数において２ｄＢのロスが生じ、結果として、無線ＬＡＮモジュール４０１の持っている本来の伝送距離及び品質を実現できないという問題がある。
【０１２８】
そこで、本実施の形態の無線機能内蔵情報処理端末装置としての例えばノートブックパーソナルコンピュータ（ＰＣ）では、図４に示すように、ＰＣ本体部８０には、フロントエンド部を有しない無線機能内蔵部としての無線ＬＡＮモジュール８１を配置し、直径０．８ｍｍ程度のテフロン（登録商標）ケーブル８５・８６を介して液晶表示部８２の両側にそれぞれ前記アンテナ８・８を含んだアンテナ設置部及びフロントエンド部としてのフロントエンドモジュール８３・８４が配置されている。ここで、フロントエンドモジュール８３・８４は、例えば、それぞれ前記図３に示すフロントエンド基板６１・６２の回路構成を有している。
【０１２９】
このように、上記ノートブックＰＣの、従来の図８と比較した効果は、これまで説明してきたことから明らかであり、テフロン（登録商標）ケーブル４０５・４０６による伝送損失相当分の性能改善効果が得られる。すなわち、従来と同じ性能の回路ブロックを用いた場合、システム性能がテフロン（登録商標）ケーブル４０５・４０６の損失分向上する。また、従来と同様のアンテナ出力とした場合、従来と比較して、高線形、低雑音（高感度）及び低消費電流の無線機能内蔵情報処理端末装置を提供することができる。
【０１３０】
なお、本実施の形態では、フロントエンドモジュール８３・８４がアンテナ８・８の設置部と同一基板上に配置されているが、必ずしもこれに限らず、フロントエンドモジュール８３・８４がアンテナ８・８の設置部の近傍に配置されていてもよい。
【産業上の利用可能性】
【０１３１】
本発明は、アンテナを含む無線通信装置及び無線機能内蔵情報処理端末装置に利用でき、特に、無線ＬＡＮ（Local Area Network）カード、及びそれを備えたパーソナルコンピュータ（ＰＣ）及びノートブックＰＣに適用できる。
【図面の簡単な説明】
【０１３２】
【図１】本発明における無線ＬＡＮカードの実施の一形態を示すブロック図である。
【図２】本発明における無線ＬＡＮカードの他の実施の形態を示すものであり、能動回路が能動回路ブロックとなっている場合の送信系回路ブロックを示すブロック図である。
【図３】本発明における無線ＬＡＮカードのさらに他の実施の形態を示すものであり、フロントエンド基板と無線ＬＡＮＦ回路本体基板とが分離された無線ＬＡＮカードを示すブロック図である。
【図４】本発明における無線ＬＡＮカードを備えたパーソナルコンピュータ（ＰＣ）の構造を示す斜視図である。
【図５】従来のＴＶ(Television)の受信装置の構成を示すブロック図である。
【図６】従来の無線ＬＡＮカードの構成を示すブロック図である。
【図７】従来の衛星放送受信用装置の構成を示すブロック図である。
【図８】従来の無線ＬＡＮカードを備えたパーソナルコンピュータ（ＰＣ）の構造を示す斜視図である。
【符号の説明】
【０１３３】
１        無線ＬＡＮ基板
２        ベースバンドＩＣ
３        ＲＦＩＣ（前段能動回路、後段能動回路）
３ａ      出力端
３ｂ      入力端
４        送信用パワーアンプ（アンテナ直前の能動回路）
４ａ      入力端
４ｂ      出力端
５        低雑音増幅器（アンテナ直後の能動回路）
５ａ      入力端
５ｂ      出力端
６        送受信切り換えスイッチ
７        帯域通過フィルタ
８        アンテナ
８ａ      入出力端（入力端、出力端）
１０        無線ＬＡＮカード（無線通信装置）
１０ａ      送信系回路ブロック
１０ｂ      受信系回路ブロック
１１〜１６  伝送線路
３０        能動回路ブロック
３１        後置増幅器（能動回路）
３１ａ      入力端
３１ｂ      出力端
３２        前置増幅器（能動回路）
３２ａ      入力端
３２ｂ      出力端
３３・３４  伝送線路
５０        無線ＬＡＮ装置（無線通信装置）
５１        無線ＬＡＮ回路本体
５２        無線ＬＡＮ回路本体基板（基板）
５３        ベースバンド・ＲＦＩＣ
５４        スイッチ
５５・５６  伝送線路
６１・６２  フロントエンド基板
７１・７２  同軸ケーブル
８１        無線ＬＡＮモジュール（無線機能内蔵部）
８３・８４  フロントエンドモジュール（アンテナ設置部、フロントエンド部）
【図１】
2004343699.tif 000003
【図２】
2004343699.tif 000004
【図３】
2004343699.tif 000005
【図４】
2004343699.tif 000006
【図５】
2004343699.tif 000007
【図６】
2004343699.tif 000008
【図７】
2004343699.tif 000009
【図８】
2004343699.tif 000010